(57)【要約】本発明は、回転中のコマが移動可能であり、コマを回転させて発射する発射部と、コマに回転力を提供するワインダーとの係合が手軽に行われるように改善したコマ玩具に関する。【選択図】  図２
2016527985.tif 000002
【特許請求の範囲】
【請求項１】
コマ玩具であって、
発射部ハウジングの一方の側に、ワインダーの一部が側面から嵌入して、移動するように切り欠かれたワインダー係合部と、
前記ワインダーと歯合して回転するピニオンギアと、
前記ピニオンギアと連動してコマを回転させるコマ駆動部と、
前記コマ駆動部から前記コマが分離されるように動作するコマ分離部と、を形成した発射部と、
前記発射部の下部に係合し、前記発射部のコマ分離部の動作により前記コマ駆動部から選択的に分離するコマと、
前記発射部のワインダー係合部に一部が側面から嵌入され、嵌入された状態で前記ワインダー係合部に沿って水平移動しながら前記ピニオンギアを回転させるワインダーと、
を備えるコマ玩具。
【請求項２】
前記発射部は、ピニオンギアと歯合して、前記ワインダーによるピニオンギアの回転数を増大させる加速ピニオンギアを更に備えることを特徴とする、請求項１に記載のコマ玩具
。
【請求項３】
前記発射部のコマ分離部は、発射部ハウジングとピニオンギア及びコマ駆動部を貫通し、使用者が押下する圧力により動作して、コマが前記コマ駆動部から分離されるように前記コマを押し付ける発射ボタン部であることを特徴とする、請求項１又は請求項２に記載のコマ玩具
。
【請求項４】
前記発射部のコマ分離部は、発射部ハウジングとピニオンギア及びコマ駆動部を貫通し、ばねの弾性力により上下方向に動作して、コマが前記コマ駆動部から分離されるように前記コマを押し付ける発射撃針部であることを特徴とする、請求項１又は請求項２に記載のコマ玩具
。
【請求項５】
前記発射部のコマ分離部は、発射部ハウジングの一方の側に配置され、ピニオンギアの回転を停止させて、コマが慣性力によりコマ駆動部から分離されるように、前記ピニオンギアと歯合するストッパーであることを特徴とする、請求項１又は請求項２に記載のコマ玩具
。
【請求項６】
前記ストッパーは、ピニオンギアの一方の側に設けられ、前記ピニオンギアと歯合して選択的に前記ピニオンギアの回転を停止させるストッパーシャフトと、
前記ストッパーシャフトが所定の位置を維持するように、弾性力を提供するばねと、を備えることを特徴とする、請求項５に記載のコマ発射装置。
【請求項７】
前記発射部のコマ分離部は、発射部ハウジングとピニオンギア及びコマ駆動部を貫通し、前記コマ駆動部を上下移動させて、コマが前記コマ駆動部から分離されるようにする前記コマ駆動部を動作させる発射動作部であることを特徴とする、請求項１又は請求項２に記載のコマ玩具。
【請求項８】
前記コマ駆動部は、コマ分離部が係合するピニオンギア係合溝と、
係合部が貫通する係合部貫通孔と、を形成したコマ駆動部下部ハウジングと、
前記コマ駆動部下部ハウジングの上部に設けられ、前記コマ駆動部が貫通する第１の貫通孔と、
支持部の嵌入突起が貫通する第２の貫通孔と、を形成したコマ駆動部上部ハウジングと、
前記コマ駆動部下部ハウジングの係合部の貫通孔から所定の距離を隔てて、移動可能に設けられ、末端にコマが固定されるように段差を形成した一対の係合部と、
前記係合部の上端に斜めの溝部を形成した係合部ガイドと、
前記係合部の間に設けられて、前記係合部が所定の距離を維持するように弾性力を提供するばねと、
末端に斜めに形成された嵌入突起が、前記コマ駆動部上部ハウジングを貫通し、前記嵌入突起が前記係合部ガイドと歯合して、前記係合部が半径方向の内側に移動するように支持する支持部と、を備えることを特徴とする、請求項７に記載のコマ玩具。
【請求項９】
前記コマ駆動部は、底面に所定の長さだけ延びてコマのブレードと係合する多数の係合部を備えることを特徴とする、請求項１又は請求項２に記載のコマ玩具。
【請求項１０】
前記ワインダーは、
一方の面にラックギアを形成した帯状のラックギア部と、
前記ラックギア部の他方の側の先端に形成されたワインダー把持部と、
前記ラックギア部がワインダー係合部に嵌入するように、前記ラックギア部の長手方向に沿って所定の大きさに切り欠いて形成されたワインダー係合部嵌合溝と、を備え、
前記ラックギア部は、末端部に所定の大きさに突出した突出部を更に形成したことを特徴とする、請求項１に記載のコマ玩具
。
【請求項１１】
前記コマは、
コマ駆動部と係合するコマ駆動部係合溝を形成したブレードと、
前記ブレードの下部に固定されるコマシャフトと、
前記ブレードの下部に設けられて、前記コマシャフトが回転可能な状態で収容されるように支持するコマハウジングと、
前記コマハウジングの下部に設けられて、コマが地面において回転するように、ボトム回転軸を有するボトム部と、を備えることを特徴とする、請求項１に記載のコマ玩具。
【請求項１２】
前記ボトム回転軸は、ボトム部と着脱自在に係合されて、取り替え可能であることを特徴とする、請求項１１に記載のコマ玩具。
【請求項１３】
前記ボトム部は、コマシャフトとボトム回転軸との間に設けられて、前記ボトム回転軸及びコマシャフトが所定の間隔を維持するように、弾性力を提供するばねを更に備えることを特徴とする、請求項１１に記載のコマ玩具。
【請求項１４】
前記コマは、上部にコマ駆動部と係合する複数のコマ駆動部嵌合溝を形成し、下部にコマシャフトを形成したブレードと、
前記ブレードの下部に設けられて、前記コマシャフトが回転可能な状態で収容されるように支持するコマハウジングと、
前記コマハウジングの下部に設けられて、コマが回転するように支持するボトム部と、
を備えることを特徴とする、請求項１に記載のコマ玩具。
【発明の詳細な説明】
【技術分野】
【０００１】
本発明は、コマ玩具に係り、更に詳しくは、回転中のコマが移動可能であり、コマを回転させて発射させる発射部と、コマに回転力を提供するワインダーとの係合が手軽に行われるように改善したコマ玩具に関する。
【背景技術】
【０００２】
コマは、子供にとって非常に人気の高い遊び用の玩具であり、友達同士が互いのコマをぶつけ合って長時間に亘って回転させるか、又はコマ板から弾き飛ばして勝負を決める遊びである。
【０００３】
最近は、ラックベルトが発射装置本体に嵌入され、発射装置本体の内側に配置された駆動器具を動作させるために、ラックベルトを引っ張ることによってコマを回転させて発射する発射装置を備えるコマ玩具が特許文献１（発明の名称：コマ玩具発射装置、公開日：２０１１年１０月２６日）に提案されている。
【０００４】
図１は、従来の技術によるコマ玩具の構成を示す斜視図であり、図１に示すように、従来のコマ玩具は、下部が狭くなる円錐状を呈し、上面にはコマ発射部２０と係合される嵌合溝１１を形成したコマ１０と、前記コマ１０が回転しながら発射されるようにするコマ発射部２０と、前記コマ発射部２０に回転力を提供するワインダー３０と、を備える。
【０００５】
前記コマ発射部２０には、下部に回転部２１及びコマ係合部２２が設けられ、一方の側にはワインダー３０が貫通するワインダー貫通孔２３が形成され、内部には前記ワインダー３０のラックギア３１と噛み合って回転部２１を回転させるピニオンギア２４が設けられる。
【０００６】
前記ワインダー３０は、一方の面にラックギア３１が形成された帯状のワインダー胴体３１と、前記ワインダー胴体３１の先端に設けられる把持部３２と、を備える。
【０００７】
前記ワインダー３０に関して、コマ発射部２０のワインダー貫通孔２３にワインダー胴体３１が嵌入し、使用者が前記嵌入したワインダー３０を引っ張ると、ワインダー胴体３１のラックギアにより、コマ発射部２０のピニオンギア２４が回転しながら、回転部２１に係合されたコマ１０を一緒に回転させ、前記ピニオンギア２４が停止されると、慣性によりコマ係合部２２からコマ１０が離脱される。
【０００８】
しかしながら、このような従来のコマ玩具は、コマ発射部２０のワインダー貫通孔２３にワインダー３０を嵌入した後、ワインダー３０が引っ張られる位置まで移動させることを余儀なくされるため、操作し難いという問題がある。
【先行技術文献】
【特許文献】
【０００９】
【特許文献１】大韓民国公開実用新案第２０１１−００１０１３１号公報
【発明の概要】
【発明が解決しようとする課題】
【００１０】
本発明は上記事情に鑑みてなされたものであり、その目的は、回転中のコマが移動可能であり、コマを回転させて発射させる発射部と、コマに回転力を提供するワインダーとの係合が手軽に行われるように改善したコマ玩具を提供することにある。
【課題を解決するための手段】
【００１１】
上述した目的を達成するためになされた本発明によるコマ玩具は、コマ玩具であって、発射部ハウジングの一方の側に、ワインダーの一部が側面から嵌入して、移動するように切り欠かれたワインダー係合部と、前記ワインダーと歯合して回転するピニオンギアと、前記ピニオンギアと連動してコマを回転させるコマ駆動部と、前記コマ駆動部から前記コマが分離されるように動作するコマ分離部と、を形成した発射部と、前記発射部の下部に係合し、前記発射部のコマ分離部の動作により前記コマ駆動部から選択的に分離するコマと、前記発射部のワインダー係合部に一部が側面から嵌入され、嵌入された状態で前記ワインダー係合部に沿って水平移動しながら前記ピニオンギアを回転させるワインダーと、を備える。
【００１２】
また、本発明による前記発射部は、ピニオンギアと歯合して、前記ワインダーによるピニオンギアの回転数を増大させる加速ピニオンギアを更に備えることを特徴とする。
【００１３】
更に、本発明による前記発射部のコマ分離部は、発射部ハウジングとピニオンギア及びコマ駆動部を貫通し、使用者が押下する圧力により動作して、コマが前記コマ駆動部から分離されるように前記コマを押し付ける発射ボタン部であることを特徴とする。
【００１４】
更にまた、本発明による前記発射部のコマ分離部は、発射部ハウジングとピニオンギア及びコマ駆動部を貫通し、ばねの弾性力により上下方向に動作して、コマが前記コマ駆動部から分離されるように前記コマを押し付ける発射撃針部であることを特徴とする。
【００１５】
更にまた、本発明による前記発射部のコマ分離部は、発射部ハウジングの一方の側に配置され、ピニオンギアの回転を停止させて、コマが慣性力によりコマ駆動部から分離されるように、前記ピニオンギアと歯合するストッパーであることを特徴とする。
【００１６】
更にまた、本発明による前記ストッパーは、ピニオンギアの一方の側に設けられ、前記ピニオンギアと歯合して選択的に前記ピニオンギアの回転を停止させるストッパーシャフトと、前記ストッパーシャフトが所定の位置を維持するように、弾性力を提供するばねと、を備えることを特徴とする。
【００１７】
更にまた、本発明による前記発射部のコマ分離部は、発射部ハウジングとピニオンギア及びコマ駆動部を貫通し、前記コマ駆動部を上下移動させて、コマを前記コマ駆動部から分離させる前記コマ駆動部を動作させる発射動作部であることを特徴とする。
【００１８】
更にまた、本発明による前記コマ駆動部は、コマ分離部が係合するピニオンギア係合溝と、係合部が貫通する係合部貫通孔と、を形成したコマ駆動部下部ハウジングと、前記コマ駆動部下部ハウジングの上部に設けられ、前記コマ駆動部が貫通する第１の貫通孔と、支持部の嵌入突起が貫通する第２の貫通孔と、を形成したコマ駆動部上部ハウジングと、前記コマ駆動部下部ハウジングの係合部の貫通孔から所定の距離を隔てて、移動可能に設けられ、末端にコマが固定されるように段差を形成した一対の係合部と、前記係合部の上端に斜めの溝部を形成した係合部ガイドと、前記係合部の間に設けられて、前記係合部が所定の距離を維持するように弾性力を提供するばねと、末端に斜めに形成された嵌入突起が、前記コマ駆動部上部ハウジングを貫通し、前記嵌入突起が前記係合部ガイドと歯合して、前記係合部が半径方向の内側に移動するように支持する支持部と、を備えることを特徴とする。
【００１９】
更にまた、本発明による前記コマ駆動部は、底面に所定の長さだけ延びてコマのブレードと係合する多数の係合部を備えることを特徴とする。
【００２０】
更にまた、本発明による前記ワインダーは、一方の面にラックギアを形成した帯状のラックギア部と、前記ラックギア部の他方の側の先端に形成されたワインダー把持部と、前記ラックギア部がワインダー係合部に嵌入するように、前記ラックギア部の長手方向に沿って所定の大きさに切り欠いて形成されたワインダー係合部嵌合溝と、を備え、前記ラックギア部は、末端部に所定の大きさに突出した突出部を更に形成したことを特徴とする。
【００２１】
更にまた、本発明による前記コマは、コマ駆動部と係合するコマ駆動部係合溝を形成したブレードと、前記ブレードの下部に固定されるコマシャフトと、前記ブレードの下部に設けられて、前記コマシャフトが回転可能な状態で収容されるように支持するコマハウジングと、前記コマハウジングの下部に設けられて、コマが地面において回転するように、ボトム回転軸を有するボトム部と、を備えることを特徴とする。
【００２２】
更にまた、本発明による前記ボトム回転軸は、ボトム部と着脱自在に係合されて、取り替え可能であることを特徴とする。
【００２３】
更にまた、本発明による前記ボトム部は、コマシャフトとボトム回転軸との間に設けられて、前記ボトム回転軸及びコマシャフトが所定の間隔を維持するように、弾性力を提供するばねを更に備えることを特徴とする。
【００２４】
更にまた、本発明による前記コマは、上部にコマ駆動部と係合する複数のコマ駆動部嵌合溝を形成し、下部にコマシャフトを形成したブレードと、前記ブレードの下部に設けられて、前記コマシャフトが回転可能な状態で収容されるように支持するコマハウジングと、前記コマハウジングの下部に設けられて、コマが回転するように支持するボトム部と、を備えることを特徴とする。
【発明の効果】
【００２５】
本発明は、コマが発射部から発射されて、回転中の状態でコマが移動可能であることから、コマ遊びの興味が向上するというメリットがある。
【００２６】
また、本発明は、コマが発射部において回転中の状態を維持し、所望の発射位置から回転中のコマが発射できることから、コマ競技の興味が更に高くなるというメリットがある。
【００２７】
更に、本発明は、コマが発射部に係合されて回転中の状態であっても、ワインダーを発射部に係合し易いので、回転中のコマの回転力が更に増大されるというメリットがある。
【図面の簡単な説明】
【００２８】
【図１】従来の技術によるコマ玩具の構成を示す斜視図である。
【図２】本発明によるコマ玩具を示す斜視図である。
【図３】図２に示すコマ玩具の係合状態を示す斜視図である。
【図４】図２に示すコマ玩具の構造を示す断面図である。
【図５】図２に示すコマ玩具の発射部の構成を示す分解斜視図である。
【図６】図２に示すコマ玩具のコマの構成を示す分解斜視図である。
【図７】図２に示すコマ玩具のコマの構造を示す断面図である。
【図８】本発明によるコマ玩具の発射部の構成を示す他の実施形態の分解斜視図である。
【図９】図８に示すコマ玩具の発射部の構造を示す断面図である。
【図１０】図８に示すコマ玩具の係合状態を示す斜視図である。
【図１１】本発明によるコマ玩具の発射部の構成を示す更に他の実施形態の分解斜視図である。
【図１２】図１１に示す発射部のピニオンギアの構成の他の実施形態を示す分解斜視図である。
【図１３】図１２に示すピニオンギアの構成を示す例示図である。
【図１４】図１１に示す発射部のストッパーの構成の他の実施形態を示す分解斜視図である。
【図１５】図１４に示すストッパーの動作過程を示す例示図である。
【図１６】本発明によるコマ玩具の他の実施形態を示す斜視図である。
【図１７】図１６に示すコマ玩具の発射部の構成を示す分解斜視図である。
【図１８】図１６に示すコマ玩具の発射部を係合した状態の分解斜視図である。
【発明を実施するための形態】
【００２９】
以下、添付図面に基づき、本発明によるコマ玩具の好適な実施形態について詳細に説明する。
【００３０】
（第１の実施形態）
図２は、本発明によるコマ玩具を示す斜視図であり、図３は、図２に示すコマ玩具の係合状態を示す斜視図であり、図４は、図２に示すコマ玩具の構造を示す断面図であり、図５は、図２に示すコマ玩具の発射部の構成を示す分解斜視図であり、図６は、図２に示すコマ玩具のコマの構成を示す分解斜視図であり、図７は、図２に示すコマ玩具のコマの構造を示す断面図である。
【００３１】
図２〜図７に示すように、本発明によるコマ玩具は、回転中のコマが移動可能であり、コマを回転させて発射させる発射部とコマに回転力を提供するワインダーとの係合が手軽に行われるように、発射部１００と、コマ２００及びワインダー３００を備える。
【００３２】
前記発射部１００は、一方の側にワインダー３００の一部が嵌入し、嵌入した前記ワインダー３００が水平移動しながら発生させる回転力を下部に係合されたコマ２００に伝えて前記コマ２００を回転させ、回転中の前記コマ２００を任意の位置において前記発射部１００から分離させる構成要素であり、発射部ハウジング１１０と、ワインダー係合部１２０と、ピニオンギア１３０と、発射ボタン部１４０及びコマ駆動部１５０を備える。
【００３３】
前記発射部ハウジング１１０は、内部にピニオンギア１３０及び発射ボタン部１４０が回転可能に設けられるように収納空間が形成され、一方の側には使用者が発射部１００を把持するように把持部１１１が形成され、他方の側にはワインダー３００の一部が嵌入して密着されると、前記密着されたワインダー３００が所定の経路に沿って水平移動するように所定の大きさに切り欠かれた空間が形成される。
【００３４】
また、前記発射部ハウジング１１０は、上部ハウジング１１０ａと下部ハウジング１１０ｂと、により構成され、前記上部ハウジング１１０ａには、発射ボタン部１４０の一部が突出するように発射ボタン取付孔１１２が穿孔され、前記下部ハウジング１１０ｂにはピニオンギア１３０の一部が貫通するようにピニオンギア取付孔１１３が穿孔される。
【００３５】
前記ワインダー係合部１２０は、発射部ハウジング１１０の一方の側に形成された切欠空間であり、ワインダー３００の一部が嵌入して、前記発射部ハウジング１１０の内側に設けられたピニオンギア１３０及びワインダー３００を密着させ、密着された前記ワインダー３００が前記発射部ハウジング１１０の側面に沿って水平方向に移動するように経路を形成する第１の上部ガイド１２１ａと、第１の下部ガイド１２１ｂと、第２のガイド１２２と、を備える。
【００３６】
前記第１の上部ガイド１２１ａは、上部ハウジング１１０ａの一方の側に設けられ、前記第１の下部ガイド１２１ｂは、下部ハウジング１１０ｂの一方の側に前記第１の上部ガイド１２１ａと平行に所定の距離を隔てて形成され、前記第１の上部ガイド１２１ａと第１の下部ガイド１２１ｂとの間の空間にワインダー３００の一部が嵌入される。
【００３７】
前記第２のガイド１２２は、前記第１の上部ガイド１２１ａ及び第１の下部ガイド１２１ｂと向かい合うように所定の距離を隔てた上部及び下部ハウジング１１０ａ、１１０ｂの内側に設けられて、前記第１の上部ガイド１２１ａと第１の下部ガイド１２１ｂとの間の空間に嵌入したワインダー３００が、発射部ハウジング１１０の内側にそれ以上嵌入しないようにし、前記嵌入したワインダー３００が前記発射部ハウジング１１０に沿って水平方向に移動するように経路を形成する。
【００３８】
また、前記第２のガイド１２２には、嵌入したワインダー３００に形成されたラックギアと発射部ハウジング１１０に設けられたピニオンギア１３０とが歯合するように、ギア貫通部１２３が形成される。
【００３９】
前記ピニオンギア１３０は、発射部ハウジング１１０の内部に設けられ、ワインダー３００と歯合してコマ駆動部１５０を回転させる構成要素であり、発射部ハウジング１１０の内部に回転可能に設けられ、前記ピニオンギア１３０が前記発射部ハウジング１１０において円滑に回転するように、前記ピニオンギア１３０の回転軸を前記発射部ハウジング１１０に支持する下部軸受け１３１及び上部軸受け１３２を備える。
【００４０】
前記下部軸受け１３１は、下部ハウジング１１０ｂに形成されたピニオンギア取付孔１１３に設けられて、ピニオンギア１３０が円滑に回転するように支持し、上部軸受け１３２は、上部ハウジング１１０ａに設けられて前記ピニオンギア１３０が円滑に回転するように支持する。
【００４１】
また、前記ピニオンギア１３０及び上部軸受け１３２には、発射ボタン部１４０の一部が貫通して移動するように貫通孔１３０ａ、１３２ａがそれぞれ形成される。
【００４２】
前記発射ボタン部１４０は、発射部ハウジング１１０の上部ハウジング１１０ａに設けられ、発射部１００を上下方向に貫通して、コマ駆動部１５０に係合されたコマ２００を前記コマ駆動部１５０から分離させるように押し付けるコマ分離部であり、上部ハウジング１１０ａの発射ボタン取付孔１１２に設けられる発射ボタン胴体１４１と、前記発射ボタン胴体１４１から所定の長さだけ延びて発射部１００を貫通して設けられ、コマ２００の上部を押し付けてコマ２００を分離させる発射ボタン部撃針１４２と、前記発射ボタン胴体１４１が所定の位置を維持するように弾性力を提供するばね１４３と、を備える。
【００４３】
前記コマ駆動部１５０には、ピニオンギア１３０と連動して回転するように、コマ駆動部１５０の胴体の中央にピニオンギア係合溝１５１が形成され、前記ピニオンギア１３０の回転軸が係合されて、発射部ハウジング１１０の底面に回転可能に設けられ、前記コマ駆動部１５０の底面の下部には、コマ２００のブレード２１０の周縁に形成されたコマ駆動部係合溝２１１と着脱自在に係合する係合部１５２が所定の長さだけ延びて形成される。
【００４４】
また、前記コマ駆動部１５０の直径は、コマ２００のブレード２１０の直径よりも大きく形成されて、コマ２００のブレードの周縁を係合部１５２が安定的に係合して固定する。
【００４５】
前記係合部１５２は「Ｖ」字状の部材であり、係合部１５２の内側の下部には、段差１５３が形成されて、コマ駆動部係合溝２１１に嵌入した係合部１５２がコマ２００から分離されないように支持する。
【００４６】
また、「Ｖ」字状の前記係合部１５２は、コマ２００をコマ駆動部１５０に容易に係合したり、容易に分離したりする。
【００４７】
前記コマ２００は、発射部１００のコマ駆動部１５０と係合して回転し、前記発射ボタン部１４０の動作により前記コマ駆動部１５０から選択的に分離されて回転し、回転中のコマが移動可能に、ブレード２１０と、コマシャフト２２０と、コマハウジング２３０と、ボトム部２４０と、ボトム回転軸２５０と、を備える。
【００４８】
前記ブレード２１０は、金属材質の円盤であり、縁部にはコマ駆動部１５０の係合部１５２と係合するコマ駆動部係合溝２１１が多数形成される。
【００４９】
前記コマシャフト２２０は、ブレード２１０の下部に設けられ、前記ブレード２１０に強固に固定されて空転しないように、上端が矩形状に形成されるか、又は滑らないように、縞模様に形成される。
【００５０】
前記コマハウジング２３０は、ブレード２１０の下部に設けられて、コマシャフト２２０が回転可能な状態で収容されるように支持する筒状の部材であり、前記コマシャフト２２０が回転自在に上部軸受け２２１及び下部軸受け２２２を介して支持する。
【００５１】
前記ボトム部２４０は、コマハウジング２３０の下部のボトム係合部２３１に着脱自在に設けられ、コマ２００が回転するように回転軸を提供し、ボトム回転軸２５０及びばね２５１を備える。
【００５２】
前記ボトム回転軸２５０は、所定の形状の突出する部材であり、コマシャフト２２０と同心軸上に設けられてボトム部２４０により固定され、前記ボトム回転軸２５０は、使用者の選択により前記ボトム部２４０をコマハウジング２３０から分離した後、任意の形状を有する他の形状のボトム回転軸２５０に取り替えて設ける。
【００５３】
前記ばね２５１は、ボトム回転軸２５０とコマシャフト２２０との間に設けられて、前記ボトム回転軸２５０及びコマシャフト２２０が所定の間隔を維持するように、弾性力を提供する。
【００５４】
すなわち、前記ばね２５１は、発射部１００からコマ２００が分離され、分離された前記コマ２００のボトム回転軸２５０が地面に達する場合、衝撃を吸収してコマ２００の回転力が減ることを防ぐ。
【００５５】
また、本発明による前記ボトム部２４０は、コマハウジング２３０と着脱自在に係合されて、前記ボトム回転軸２５０を取替え可能に設けることを特徴とする。
【００５６】
前記ワインダー３００は、発射部１００のワインダー係合部１２０に一部が嵌入して、前記ワインダー係合部１２０に沿って水平移動しながら前記ピニオンギア１３０を回転させる構成要素であり、ラックギア部３１０と、ワインダー把持部３２０と、ワインダー係合部嵌合溝３３０と、ワインダーガイド３４０と、を備える。
【００５７】
前記ラックギア部３１０は、帯状の胴体一方の面にラックギアが形成された部材であり、所定の幅を有するように形成される。
【００５８】
前記ワインダー把持部３２０は、ラックギア部３１０の他方の側の先端に形成されて、使用者が把持した状態でラックギア部３１０を引っ張ることを可能にする。
【００５９】
前記ワインダー係合部嵌合溝３３０は、ラックギア部３１０がワインダー係合部１２０の切り欠かれた空間に嵌入するように、前記ラックギア部３１０の長手方向に沿って所定の大きさに切り欠いて形成した嵌入部であり、前記ワインダー係合部嵌合溝３３０にはラックギアが形成されないため、ピニオンギア１３０と歯合しない。
【００６０】
前記ワインダーガイド３４０は、ワインダー係合部嵌合溝３３０の一方の側に形成されて、ワインダー係合部嵌合溝３３０がワインダー係合部１２０に嵌入した状態で、ラックギア部３１０を引っ張る間に、前記ワインダー係合部嵌合溝３３０がワインダー係合部１２０から離脱せずに水平方向に移動するように導く。
【００６１】
以下、第１の実施形態によるコマ玩具の動作過程について説明する。
【００６２】
使用者が、発射部１００の把持部１１１を把持した状態で、コマ２００のブレード２１０に形成されたコマ駆動部係合溝２１１を、コマ駆動部１５０の係合部１５２と係合させて、段差１５３がブレード２１０の下端を支持するようにして、発射部１００にコマ２００を取り付ける。
【００６３】
前記コマ２００が取り付けられると、ワインダー３００のワインダー係合部嵌合溝３３０がワインダー係合部１２０を介して側面から嵌合することで、ワインダー３００が発射部１００の側面に係合される。
【００６４】
前記ワインダー３００が発射部１００の側面に係合された状態で、使用者がワインダー３００を水平方向に引っ張ると、発射部１００のピニオンギア１３０とワインダー３００のラックギア部３１０とが歯合することで、前記ピニオンギア１３０が回転する。
【００６５】
前記ピニオンギア１３０が回転すると、これにつれてコマ駆動部１５０が回転して、コマ２００に回転力が提供される。
【００６６】
次いで、コマ２００に更なる回転力を提供するために、発射部１００の側面にワインダー３００を嵌入した後に引っ張ると、一層増大された回転力がピニオンギア１３０を介してコマ２００に伝わる。
【００６７】
前記コマ２００に十分な回転力が伝わった状態で、使用者が任意の位置に発射部１００及びコマ２００を移動させた後に、発射ボタン部１４０を押下すると、発射ボタン部撃針１４２が発射部１００を垂直方向に移動させて、コマ２００のブレード２１０の上面を押下し、段差１５３により支持されていたコマ２００は、コマ駆動部１５０から分離されて発射部１００から発射される。
【００６８】
また、発射されたコマ２００は、使用者がコマハウジング２３０を把持しても、ブレード２１０及びコマシャフト２２０の回転慣性により回転し、回転状態を維持することができるため、回転中のコマの移動が可能になる。
【００６９】
このため、コマが発射部から発射されて回転中の状態で、コマが移動可能であり、また、コマが発射部において回転中の状態を維持し、所望の発射位置から回転中のコマを発射することができ、さらに、コマが発射部に係合されて回転中の状態であっても、ワインダーを発射部に手軽に係合することで回転力を増加させることができる。
【００７０】
（第２の実施形態）
図８は、本発明によるコマ玩具の発射部の構成を示す他の実施形態の分解斜視図であり、図９は、図８に示すコマ玩具の発射部の構造を示す断面図であり、図１０は、図８に示すコマ玩具の係合状態を示す斜視図である。
【００７１】
図８〜図１０に示すように、第２の実施形態によるコマ玩具は、発射部ハウジング１１０’の一方の側にワインダー３００の一部が嵌入して密着するように切り欠かれたワインダー係合部１２０と、前記ワインダー３００と歯合して回転するピニオンギア１３０’と、前記ピニオンギア１３０’と連動してコマ２００を回転させるコマ駆動部１５０と、前記発射部ハウジング１１０’とピニオンギア１３０’及びコマ駆動部１５０を貫通して設けられ、前記ワインダー３００の末端部に設けられた突出部３１１により上下移動して、コマ２００がコマ駆動部１５０から分離されるように前記コマ２００を押し付ける発射撃針部１４０’と、を形成した発射部１００’と、前記発射部１００’のコマ駆動部１５０と係合して回転し、前記発射撃針部１４０’の動作により前記コマ駆動部１５０から選択的に分離されるコマ２００と、前記発射部１００’のワインダー係合部１２０に一部が嵌入して、前記ワインダー係合部１２０に沿って水平移動しながら前記ピニオンギア１３０’を回転させ、前記発射撃針部１４０’を発射部１００’の上下方向に移動させるワインダー３００と、を備える。
【００７２】
第１の実施形態と同じ構成要素についての繰り返し説明は省略し、同じ構成要素には同じ図面符号を付する。
【００７３】
第２の実施形態による発射部１００’は、第１の実施形態による発射部１００と比較して、ピニオンギア１３０’と、発射撃針部１４０’及びワインダー３００の一部の構成に相違点がある。
【００７４】
前記発射部１００’は、一方の側にワインダー３００の一部が嵌入し、嵌入した前記ワインダー３００が水平移動しながら発生させる回転力を、下部に係合されたコマ２００に伝えて前記コマ２００を回転させ、回転中の前記コマ２００が任意の位置において前記発射部１００’から分離されるように、発射部ハウジング１１０’と、ワインダー係合部１２０と、ピニオンギア１３０’と、発射撃針部１４０’と、コマ駆動部１５０と、を備える。
【００７５】
前記ピニオンギア１３０’は、発射部ハウジング１１０’の内部に設けられ、ワインダー３００と歯合してコマ駆動部１５０を回転させる構成要素であり、発射部ハウジング１１０’の内部に回転自在に設けられ、前記ピニオンギア１３０’が前記発射部ハウジング１１０’において円滑に回転するように、前記ピニオンギア１３０’の回転軸を前記発射部ハウジング１１０’に支持する下部軸受け１３１’及び上部軸受け１３２’を備え、前記ピニオンギア１３０’及び上部軸受け１３２’は、発射撃針部１４０’が貫通するように貫通孔が穿孔される。
【００７６】
また、前記ピニオンギア１３０’には、下端部に係合されたコマ駆動部１５０が回転中に分離されることを防ぐために固定突起１３０ｂ’が形成される。
【００７７】
前記発射撃針部１４０’は、ワインダー３００により上下方向に移動して、コマ２００の上面を押し付けるコマ分離部であり、発射撃針部胴体１４１’と、発射撃針部ガイド１４２’と、撃針１４３’と、ばね１４４’と、を備える。
【００７８】
前記発射撃針部胴体１４１’は、下方向に先細った円錐台状をしており、ワインダー３００の末端部に形成された突出部３１１により、発射撃針部１４０’の全体を垂直方向の上部に移動させる。
【００７９】
前記発射撃針部ガイド１４２’は、発射撃針部胴体１４１’の上面から所定の長さだけ延びて形成され、発射撃針部１４０’が上部軸受け１３２’を貫通して上方向に移動するように導く。
【００８０】
前記撃針１４３’は、発射撃針部胴体１４１’の底面から所定の長さだけ延びて形成され、前記撃針１４３’の末端に接触されたコマ２００が発射部１００’から分離されるように打撃する。
【００８１】
前記ばね１４４’は、発射撃針部胴体１４１’が下方向に押し付けられるように弾性力を提供する構成要素であり、前記発射撃針部胴体１４１’がワインダー３００により上方向に移動すると、撃針１４３’がコマ２００を打撃する弾性力と、前記撃針部胴体１４１’を元の位置に戻す弾性力を提供する。
【００８２】
前記コマ駆動部１５０は、ピニオンギア１３０’と連動して回転するように、コマ駆動部１５０の胴体の中央にピニオンギア係合溝１５１が形成され、前記ピニオンギア１３０’の回転軸が係合されることで、発射部ハウジング１１０’の底面に回転可能に設けられ、前記コマ駆動部１５０の底面の下部には、コマ２００のブレード２１０の周縁に形成されたコマ駆動部係合溝２１１と着脱自在に係合する係合部１５２’が所定の長さだけ延びて形成される。
【００８３】
また、前記コマ駆動部１５０のピニオンギア係合溝１５１の内側には、ピニオンギア１３０’の下端部に形成された固定突起１３０ｂ’と係合して前記コマ駆動部１５０が回転中に分離されることを防ぐように、固定溝１５１ａ’が形成される。
【００８４】
前記ワインダー３００は、一方の面にラックギアを形成した帯状のラックギア部３１０が形成され、前記ラックギア部３１０の末端部には、所定の大きさに突出する突出部３１１が形成され、前記ラックギア部３１０の他方の先端には、ワインダー把持部３２０が形成され、前記ラックギア部３１０がワインダー係合部１２０に嵌入するように前記ラックギア部３１０の長手方向に沿って所定の大きさに切り欠いて形成されたワインダー係合部嵌合溝３３０が形成され、前記ワインダー３００の引っ張り動作に際して、前記突出部３１１が発射撃針部胴体１４１’の下端を押し付けることによって、発射撃針部１４０’が発射部１００’の上方向に移動されるようにする。
【００８５】
以下、第２の実施形態によるコマ玩具の動作過程について説明する。
【００８６】
使用者が発射部１００’の把持部１１１を把持した状態で、コマ２００のブレード２１０に形成されたコマ駆動部係合溝２１１をコマ駆動部１５０の係合部１５２と係合させて、段差１５３がブレード２１０の下端を支持するようにして、発射部１００’にコマ２００を取り付ける。
【００８７】
前記コマ２００が取り付けられると、ワインダー３００のワインダー係合部嵌合溝３３０が、ワインダー係合部１２０を介して側面から嵌合することで、ワインダー３００が発射部１００’の側面に係合する。
【００８８】
前記ワインダー３００が発射部１００’の側面に係合した状態で、使用者がワインダー３００を水平方向に引っ張ると、発射部１００’のピニオンギア１３０’とワインダー３００のラックギア部３１０とが歯合することで、前記ピニオンギア１３０’が回転する。
【００８９】
前記ピニオンギア１３０’が回転すると、これにつれてコマ駆動部１５０も回転して、コマ２００に回転力が提供される。
【００９０】
前記ワインダー３００の引っ張り動作に際して、ラックギア部３１０の末端部に形成された突出部３１１が発射撃針部１４０’を上方向に移動するように押し付けた後、発射部１００’から分離されると、前記発射撃針部１４０’は、ばね１４４’の弾性力により下方向に移動しながら、撃針１４３’がコマ２００のブレード２１０の上面を押し付ける（又は、打撃する）ことにより、段差１５３により支持されていたコマ２００が、コマ駆動部１５０から分離されて、発射部１００’から発射される。
【００９１】
（第３の実施形態）
図１１は、本発明によるコマ玩具の発射部の構成を示す他の分解斜視図である。
【００９２】
図１１に示すように、第３の実施形態によるコマ玩具は、発射部ハウジング１１０の一方の側にワインダー３００（図２参照）が嵌入するように切り欠かれたワインダー係合部１２０と、前記ワインダー３００と歯合して回転するピニオンギア１３０と、前記ピニオンギア１３０と連動してコマを回転させるコマ駆動部１５０と、前記発射部ハウジング１１０の一方の側に、前記ピニオンギア１３０と歯合するように設けられて、前記ピニオンギア１３０の回転が停止されると、慣性力により前記コマがコマ駆動部１５０から分離されるように、前記ピニオンギア１３０の回転を停止させるストッパー１６０と、を形成した発射部１００”と、前記発射部１００”のコマ駆動部１５０と係合して回転し、前記ストッパー１６０の動作により前記コマ駆動部１５０から選択的に分離されるコマと、前記発射部１００”のワインダー係合部１２０に一部が嵌入して、前記ワインダー係合部１２０に沿って水平移動しながら前記ピニオンギア１３０を回転させるワインダー３００と、を備える。
【００９３】
第１の実施形態と同じ構成要素についての繰り返し説明は省略し、同じ構成要素には同じ図面符号を付する。
【００９４】
第３の実施形態によるコマ玩具は、発射部１００”において相違点があり、前記発射部１００”は、ピニオンギア１３０の回転を停止させて、回転慣性により発射部１００”からコマが分離されるようにし、前記発射部１００”は、発射部ハウジング１１０と、ワインダー係合部１２０と、ピニオンギア１３０と、コマ駆動部１５０と、ストッパー１６０と、を備える。
【００９５】
前記ストッパー１６０は、発射部ハウジング１１０の一方の側に設けられたストッパー取付孔１１４に設けられて、ピニオンギア１３０の回転を選択的に且つ強制的に終了するコマ分離部であり、一方の側にはストッパーボタン１６１が形成され、前記ストッパーボタン１６１から所定の長さだけ延びて前記ピニオンギア１３０と歯合するストッパーシャフト１６２が形成され、前記ストッパーシャフト１６２がピニオンギア１３０から所定の距離を隔てた状態を維持するように弾性力を提供し、前記ストッパーシャフト１６２が移動して前記ピニオンギア１３０と歯合した後に前記ストッパーシャフト１６２を元の位置に戻すばね１６３を備える。
【００９６】
すなわち、前記ストッパー１６０は、ピニオンギア１３０がワインダー３００により回転力が供給されて自由に回転する間に、使用者がストッパー１６０を押下すると、ストッパーシャフト１６２の端部が前記ピニオンギア１３０と歯合することで、前記ピニオンギア１３０の回転を強制的に停止させる。
【００９７】
前記ばね１６３は、ストッパーボタン１６１と発射部ハウジング１１０との間に設けられて、前記ストッパーボタン１６１がピニオンギア１３０から所定の距離を隔てた状態を維持するように弾性力を提供し、前記ストッパー１６０が移動してピニオンギア１３０と歯合すると、前記ストッパー１６０を元の位置に戻す。
【００９８】
一方、前記発射部１００”は、図１２に示すように、ピニオンギア１３０と歯合して、ワインダー３００によって、前記ピニオンギア１３０の回転数を増加させるための加速ピニオンギア１３３を更に備える。
【００９９】
すなわち、前記ピニオンギア１３０の一方の側に、ワインダー３００と歯合する第１のギア１３３ａと、前記第１のギア１３３ａと同心軸を形成しながら一体に形成され、前記第１のギア１３３ａの直径よりも大きな直径を有し、前記ピニオンギア１３０と歯合する第２のギア１３３ｂと、により構成された加速ピニオンギア１３３を設ける。
【０１００】
前記第１のギア１３３ａは、所定の直径を有するギアであり、ワインダー３００に形成されたラックギアと歯合して回転すると、前記第１のギア１３３ａよりも大きな直径を有するように一体に形成された第２のギア１３３ｂを多くの回転数で回転させて、ピニオンギア１３０に一層多くの回転力を発生させることにより、コマに十分な回転力を提供する。
【０１０１】
また、前記ピニオンギア１３０と加速ピニオンギア１３３との間には、図１３に示すように、アイドルギア１３４を設けて、前記ピニオンギア１３０及び加速ピニオンギア１３３の回転方向が同じくなるように構成する。
【０１０２】
更に、本実施形態においては、使用者がストッパーボタン１６１を押下すると、ストッパー１６０が動作するように構成したが、ワインダー３００によりストッパーが動作するように構成してもよい。
【０１０３】
図１４を参照すると、前記ストッパー１６０’は、ピニオンギア１３０の周縁に設けられて、ピニオンギア１３０の回転を選択的に且つ強制的に終了する「Ｕ」字状の部材であり、外側にはばね１６３と係合する突起１６１’が形成され、内側には前記ピニオンギア１３０と歯合するストッパーシャフト１６２’が所定の長さだけ延びて形成され、前記ストッパー１６０’が所定の位置を維持するように弾性力を提供するばね１６３’が突起１６１’と係合して設けられる。
【０１０４】
前記ストッパー１６０’は、ばね１６３’の弾性力により、ピニオンギア１３０が回転しないように、図１５（ａ）に示すように、ピニオンギア１３０がストッパーシャフト１６２’と歯合して固定されるようにし、ワインダー係合部１２０の第１の上部ガイド又は第１の下部ガイド部１２１ｂに沿って移動するワインダー３００が嵌入すると、図１５（ｂ）に示すように、ワインダー３００によりストッパー１６０’が押し付けられて移動することにより、ピニオンギア１３０がストッパーシャフト１６２’から分離されて、前記ピニオンギア１３０が、移動する間に、自由に回転し、ワインダー３００が発射部１００”から引き出されると、ピニオンギア１３０は、ばね１６３’の弾性力によりストッパーシャフト１６２’と歯合して固定されることにより、ピニオンギア１３０の回転が強制的に停止される。
【０１０５】
以下、第３の実施形態によるコマ玩具の動作過程について説明する。
【０１０６】
使用者が、発射部１００”の把持部１１１を把持した状態で、コマ２００（図６参照）のブレード２１０（図６参照）に形成されたコマ駆動部係合溝２１１（図６参照）をコマ駆動部１５０の係合部１５２と係合させて、段差１５３がブレード２１０の下端を支持するようにして、発射部１００”にコマ２００を取り付ける。
【０１０７】
前記コマ２００が取り付けられると、ワインダー３００（図２参照）のワインダー係合部嵌合溝３３０がワインダー係合部１２０を介して側面から嵌合して、ワインダー３００を発射部１００”の側面に係合する。
【０１０８】
前記ワインダー３００が発射部１００”の側面に係合した状態で、使用者がワインダー３００を水平方向に引っ張ると、発射部１００”のピニオンギア１３０とワインダー３００のラックギア部３１０とが歯合することで、前記ピニオンギア１３０が回転する。
【０１０９】
前記ピニオンギア１３０が回転すると、これにつれて、ピニオンギア１３０と連動されたコマ駆動部１５０も回転して、コマ２００に回転力が提供される。
【０１１０】
また、ワインダー３００を引っ張る過程において、十分な回転力が発生しなかった場合、ワインダー係合部嵌合溝３３０が発射部１００”のワインダー係合部１２０に再び嵌入するようにし、前記ワインダー３００が発射部１００”と係合した状態で、ワインダーの把持部３２０を再び引っ張って、ピニオンギア１３０により大きな回転力を提供することによって、コマ２００が一層高速に回転する。
【０１１１】
前記コマ２００が回転中の状態で、ストッパー１６０を押下してストッパーシャフト１６２をピニオンギア１３０と歯合させると、前記ピニオンギア１３０の回転は停止され、このとき、前記ピニオンギア１３０と係合したコマ駆動部１５０の回転も停止される。
【０１１２】
前記コマ駆動部１５０の回転が停止されると、係合部１５２を介して嵌合されたコマ２００には回転慣性力が発生し、前記発生された回転慣性力は、コマ２００を回転方向に移動させる。
【０１１３】
前記コマ２００が慣性力により回転方向に移動すると、ブレード２１０が段差１５３による支持を外れて、コマ２００が係合部１５２の傾斜面に沿って回転方向に移動することにより、分離されて、十分な回転力を有するコマ２００が発射部１００”から発射される。
【０１１４】
（第４の実施形態）
図１６は、本発明によるコマ玩具の他の実施形態を示す斜視図であり、図１７は、図１６に示すコマ玩具の発射部の構成を示す分解斜視図であり、図１８は、図１６に示すコマ玩具の発射部を係合した状態の分解斜視図である。
【０１１５】
まず、第１の実施形態と同じ構成要素についての繰り返し説明は省略し、同じ構成要素には同じ図面符号を付する。
【０１１６】
図１６〜図１８に示すように、第４の実施形態によるコマ玩具は、発射部ハウジング１１０の一方の側に、ワインダー３００の一部が嵌入して密着されるように切り欠かれたワインダー係合部１２０と、前記ワインダー３００と歯合して回転するピニオンギア１３０”と、前記ピニオンギア１３０”と連動してコマ２００’を回転させるコマ駆動部１５０’と、前記発射部ハウジング１１０とピニオンギア１３０”及びコマ駆動部１５０’を貫通して前記コマ駆動部１５０’と連結され、前記コマ駆動部１５０’を上下移動させて前記コマ２００’を支持する係合部１５２’を移動させて、前記コマ２００’をコマ駆動部１５０’から分離させる発射動作部１４０”と、を形成した発射部１００’’’と、前記発射部１００’’’のコマ駆動部１５０’と係合して回転し、前記発射動作部１４０”の動作により前記コマ駆動部１５０’から選択的に分離されるコマ２００’と、前記発射部１００’’’のワインダー係合部１２０に一部が嵌入して前記ワインダー係合部１２０に沿って水平移動しながら前記ピニオンギア１３０”を回転させ、前記発射動作部１４０”が上方向に移動するように押し付けるワインダー３００と、を備える。
【０１１７】
第４の実施形態によるコマ玩具は、第１の実施形態によるコマ玩具とは、発射部１００’’’及びコマ２００’に相違点がある。
【０１１８】
これについて詳細に説明すると、前記発射部１００’’’は、ピニオンギア１３０”及び発射動作部１４０”が一緒に回転し、コマ駆動部１５０’が上下方向に移動して、係合部１５２’の動作によりコマ２００’が発射部１００’’’から分離されるように構成され、コマ２００’は、上面にコマ駆動部嵌合溝２１２が形成される。
【０１１９】
前記ピニオンギア１３０”は、発射部ハウジング１１０の内部に回転可能に設けられ、ワインダー３００と歯合してコマ駆動部１５０’を回転させる構成要素であり、中央に貫通孔１３０ａ”が形成され、前記貫通孔１３０ａ”の内側には、発射動作部１４０”の係止突起１４５”と歯合する係止溝１３０ｂ”が形成されて、ピニオンギア１３０”の回転につれて発射動作部１４０”を回転させる。
【０１２０】
また、前記ピニオンギア１３０”は、発射部ハウジング１１０において円滑に回転するように、前記ピニオンギア１３０”の回転軸を前記発射部ハウジング１１０に支持する下部軸受け１３１”及び発射動作部１４０”が発射部ハウジング１１０において円滑に回転するように、前記発射動作部１４０”の回転軸を支持する上部軸受け１３２”を備える。
【０１２１】
前記発射動作部１４０”は、発射部１００’’’を上下方向に貫通して設けられ、前記発射動作部１４０”が垂直方向の上部に移動することで、コマ駆動部１５０’に係合されたコマ２００’が前記コマ駆動部１５０’から分離されるように動作するコマ分離部であり、上部ハウジング１１０ａの発射ボタン取付孔１１２に、上部軸受け１３２”を介して回転可能に設けられ、下部ハウジング１１０ｂのピニオンギア取付孔１１３を貫通してコマ駆動部１５０’と係合し、下方向に先細った円錐台状の発射動作部胴体を介して、ワインダー３００の末端部に形成された突出部３１１と歯合して発射動作部１４０”の全体が垂直方向の上部に移動することにより、前記発射動作部１４０”の末端に連結されたコマ駆動部１５０’を一緒に垂直方向の上部に移動させ、ばね１４４”により元の位置に戻る。
【０１２２】
また、前記発射動作部１４０”は、ピニオンギア１３０”の係止溝１３０ｂ”と歯合する係止突起１４５”を形成することで、前記ピニオンギア１３０”につれて回転する。
【０１２３】
前記コマ駆動部１５０’は、コマ駆動部下部ハウジング１５０ａ’と、コマ駆動部上部ハウジング１５０ｂ’と、一対の係合部１５２’と、支持部１５７’と、を備える。
【０１２４】
前記コマ駆動部下部ハウジング１５０ａ’は、発射動作部１４０”が係合するピニオンギア係合溝１５１’と、コマ２００’を固定する係合部１５２’が貫通するように長方形の係合部貫通孔１７０と、を備える。
【０１２５】
前記コマ駆動部上部ハウジング１５０ｂ’は、コマ駆動部下部ハウジング１５０ａ’の上部に設けられ、前記発射動作部１４０”が貫通する第１の貫通孔１７１と、支持部１５７’の嵌入突起１５７a’が貫通する第２の貫通孔１７２と、を備える。
【０１２６】
前記係合部１５２’は、コマ駆動部下部ハウジング１５０ａ’の係合部貫通孔１７０と向かい合うように移動可能に設けられ、前記係合部１５２’は所定の距離を隔てており、前記係合部１５２’の末端には、コマ２００’が固定されるように段差１５３’が形成される。
【０１２７】
また、前記係合部１５２’の上端には斜めの溝部を形成した係合部ガイド１５４’が設けられ、前記係合部１５２’の一方の側にはばね固定部１５５’が設けられて前記係合部１５２’の間が所定の距離を維持するように弾性力を提供するばね１５６’が固定されるようにする。
【０１２８】
前記支持部１５７’は、下部ハウジング１１０ｂの底面に配置されて、末端に形成された斜めの嵌入突起１５７a’が、コマ駆動部上部ハウジング１５０ｂ’の第２の貫通孔１７２を貫通し、前記嵌入突起１５７a’が係合部１５２’の斜めの係合部ガイド１５４’と歯合して、前記係合部１５２’が半径方向の内側に移動するように支持することにより、前記係合部１５２’が縮まる。
【０１２９】
前記コマ２００’は、上面にコマ駆動部１５０’の係合部１５２’が嵌合する長方形の複数のコマ駆動部嵌合溝２１２を形成し、下部にはコマシャフトが固定されるブレード２１０’と、前記ブレード２１０’の下部に設けられて、前記コマシャフトが回転可能な状態で収容されるように支持するコマハウジング２３０’と、前記コマハウジング２３０’の下部に設けられて、コマ２００’が回転するように回転軸を形成するボトム部２４０’と、を備える。
【０１３０】
また、前記ボトム部２４０’は、ボトム回転軸２５０’が設けられることで、コマ２００’が回転するための回転軸を提供し、前記ボトム回転軸２５０’は、所定の形状に突出する部材であり、コマシャフトと同心軸上に設けられて、ボトム部２４０’を介して固定され、前記ボトム回転軸２５０’は、使用者の選択により前記ボトム部２４０’をコマハウジング２３０’から分離した後、任意の形状を有する他の形状のボトム回転軸２５０’に取り替えて設ける。
【０１３１】
更に、前記ボトム回転軸２５０’は、コマシャフトとの間にばねを設けて、前記ボトム回転軸２５０’とコマシャフトとが所定の間隔を維持するように弾性力を提供し、コマ２００’のボトム回転軸２５０’が地面に達する場合に、衝撃を吸収してコマ２００’の回転力が減ることを防ぐ。
【０１３２】
以下、第４の実施形態によるコマ玩具の動作過程について説明する。
【０１３３】
使用者が、発射部１００’’’の把持部１１１を把持した状態で、コマ２００’のブレード２１０’に形成されたコマ駆動部嵌合溝２１２をコマ駆動部１５０’の係合部１５２’に嵌入させて、段差１５３がブレード２１０’を支持するようにして発射部１００’’’にコマ２００’を取り付ける。
【０１３４】
前記コマ２００’が取り付けられると、ワインダー３００のワインダー係合部嵌合溝３３０が、ワインダー係合部１２０を介して側面から嵌合することで、ワインダー３００が発射部１００’’’の側面に係合する。
【０１３５】
前記ワインダー３００が発射部１００’’’の側面に係合した状態で、使用者がワインダー３００を水平方向に引っ張ると、発射部１００’’’のピニオンギア１３０”とワインダー３００のラックギア部３１０とが歯合することで、前記ピニオンギア１３０”が回転する。
【０１３６】
前記ピニオンギア１３０”が回転すると、これにつれて発射駆動部１４０”及びコマ駆動部１５０’が回転して、コマ２００’に回転力が提供される。
【０１３７】
前記ワインダー３００の引っ張り動作に際して、ラックギア部３１０の末端部に形成された突出部３１１が発射動作部１４０”を上方向に移動するように押し付けながら発射部１００’’’から分離されると、前記発射動作部１４０”は、上方向に移動しながらコマ駆動部１５０’を上方向に移動させる。
【０１３８】
前記コマ駆動部１５０’が上方向に移動すると、支持部１５７’は、下部ハウジング１１０ｂの底面と密着してそれ以上移動せず、前記支持部１５７’の嵌入突起１５７a’は、前記コマ駆動部１５０’の第２の貫通孔１７２を貫通して係合部１５２’の斜めの係合部ガイド１５４’と歯合する。
【０１３９】
このとき、前記係合部ガイド１５４’の傾斜面により、係合部１５２’は、半径方向の内側に移動して縮まるため、前記係合部１５２’の段差１５３’に支持されていたコマ２００’は、発射部１００’’’から分離される。
【０１４０】
前記コマ２００’が分離された後、発射動作部１４０”が自重により下方向の元の位置に戻ると、係合部ガイド１５４’も移動して、ばね１５６’の弾性力により支持部１５７’の嵌入突起１５７a’により縮まった係合部１５２’も半径方向の外側方向に拡開されながら元の位置に戻る。
【０１４１】
上述したように、本発明の好適な実施形態を参照して説明したが、当該技術分野における熟練した当業者であれば、下記の特許請求の範囲に記載の本発明の思想及び領域から逸脱しない範囲内において、本発明が種々に修正及び変更可能であるということが理解できる筈である。
【０１４２】
また、本発明の実施形態を説明する過程において、図示の線の太さや構成要素の大きさなどは、説明の明瞭性及び便宜性のために誇張されており、上述した用語は、本発明における機能を考慮して定義された用語であり、これらは使用者、運用者の意図又は慣例により異なり、これらの用語は、本明細書の全般に亘る内容に基づいて定義されるべきである。
【符号の説明】
【０１４３】
１１００、１００’、１００”、１００’’’：発射部
１１０：発射部ハウジング
１１０ａ：上部ハウジング
１１０ｂ：下部ハウジング
１１１：把持部
１１２：発射ボタン取付孔
１１３：ピニオンギア取付孔
１１４：ストッパー取付孔
１２０：ワインダー係合部
１２１ａ：第１の上部ガイド
１２１ｂ：第１の下部ガイド
１２２：第２のガイド
１２３：ギア貫通部
１３０、１３０’：ピニオンギア
１３０ａ、１３０ａ’：貫通孔
１３０ｂ’：固定突起
１３１、１３１’：下部軸受け
１３２、１３２’：上部軸受け
１３２ａ：貫通孔
１４０：発射ボタン部
１４０’：発射撃針部
１４１：発射ボタン胴体
１４１’：発射撃針部胴体
１４２：発射ボタン部撃針
１４２’：発射撃針部ガイド
１４３：ばね
１４３’：撃針
１４４’：ばね
１５０：コマ駆動部
１５１：ピニオンギア係合溝
１５１ａ’：固定溝
１５２：係合部
１５３：段差
１６０：ストッパー
１６１：ストッパーボタン
１６２：ストッパーシャフト
１６３：ばね
２００：コマ
２１０：ブレード
２１１：コマ駆動部係合溝
２２０：コマシャフト
２２１：上部軸受け
２２２：下部軸受け
２３０：コマハウジング
２３１：ボトム係合部
２４０：ボトム部
２５０：ボトム回転軸
２５１：ばね
３００：ワインダー
３１０：ラックギア部
３１１：突出部
３２０：ワインダー把持部
３３０：ワインダー係合部嵌合溝
３４０：ワインダーガイド
【図１】
2016527985.tif 000003
【図２】
2016527985.tif 000004
【図３】
2016527985.tif 000005
【図４】
2016527985.tif 000006
【図５】
2016527985.tif 000007
【図６】
2016527985.tif 000008
【図７】
2016527985.tif 000009
【図８】
2016527985.tif 000010
【図９】
2016527985.tif 000011
【図１０】
2016527985.tif 000012
【図１１】
2016527985.tif 000013
【図１２】
2016527985.tif 000014
【図１３】
2016527985.tif 000015
【図１４】
2016527985.tif 000016
【図１５（ａ）】
2016527985.tif 000017
【図１５（ｂ）】
2016527985.tif 000018
【図１６】
2016527985.tif 000019
【図１７】
2016527985.tif 000020
【図１８】
2016527985.tif 000021
【手続補正書】
【提出日】平成28年2月16日(2016.2.16)
【手続補正１】
【補正対象書類名】図面
【補正対象項目名】図４
【補正方法】変更
【補正の内容】
【図４】
2016527985.tif 000022
【国際調査報告】
2016527985.tif 000023
2016527985.tif 000024
2016527985.tif 000025
2016527985.tif 000026